(57)【要約】【課題】  安価で取り扱い易く、保温特性も良く、且つ通常の可燃廃棄物として処理できる折り畳み式保冷箱を提供する。【解決手段】  古紙粉末・澱粉を５１％以上含み、バインダーとしてはオレフィン系樹脂を使用し、水蒸気による発泡を利用して押し出し成型法により１．５〜２ｃｍの厚さの板状に成型した紙スポンジから、それを折り曲げて組み立てると箱状になるように底面、４側面、と蓋面の部材を、ハーフカットを施しながら打ち抜き、組み立てられた箱体が密接して内装できるプラスチックフイルム製のガゼット袋の中に、箱体を折り畳んで入れて提供する。【選択図】図１
0003122643.tif 000002
【実用新案登録請求の範囲】
【請求項１】
厚さ１．５〜２ｃｍ程の、古紙粉末と澱粉を重量比５１％以上含む紙スポンジでできた断熱板で作られた、外寸、縦１５〜２５ｃｍ、横２５〜３０ｃｍ、高さ１５〜２０ｃｍ程の箱体で蓋部と前後側面板と底面板が一枚に繋がっており、折り曲げる稜線はハーフカットが施してあり、左右両側面板は独立しており、それらを組み合わせて箱体を形成する際にずれないように両側面板の周辺には突起が設けてあり、それに対応する部分の前後側面板あるいは蓋部と底面板にはその突起と勘合する凹部が設けてあり、それらを嵌め合わせて箱体を形成することを特徴とする廃棄物として処理しやすい折り畳み式保冷箱。
【請求項２】
箱体が形成された後、箱体を密接して内装する、リサイクルあるいは廃棄処理できるプラスチックフイルム製のガゼット袋の中に箱体が入れてあることを特徴とする請求項１記載の折り畳み式保冷箱。
【請求項３】
箱体が前述のガゼット袋に密接して収まる所定の位置関係になるように、予め箱体の後側面部の一部とガゼット袋の内側の一部を接着剤あるいは熱融着により接着して、折り畳んだ箱体の部材を該ガゼット袋の中に収納してあることを特徴とする請求項２記載の折り畳み式保冷箱。
【考案の詳細な説明】
【技術分野】
【０００１】  通常の廃棄物あるいはリサイクル品として処理できる簡易保冷箱に関する。
【背景技術】
【０００２】  土産物屋等で要保冷の商品を入れて客に渡す安価な簡易保冷箱としては発泡プラスチックの一種である発泡ポリスチレン製が主流であったが、環境汚染の問題により、使用後焼却処分をする事ができなくなり、処理が面倒である為それに代わる保冷箱が求められてきた。また発泡ポリスチレン製の保冷箱は箱体として成型されているので空箱であっても体積は変わらず嵩張って場所を取り厄介であった。【０００３】  最近我々グループで開発した古紙粉末・澱粉を５１％以上含み、バインダーとしてはオレフィン系樹脂を使用し、水蒸気による発泡で製造した紙スポンジは、環境負荷の少ない材料であり、熱伝導率も０．０３３Ｗ／ｍ・Ｋと他の断熱材と同等の熱特性を持っており、また曲げても折れない柔軟性を持ち、少量であれば紙と同様の可燃ゴミとして扱うことができる。【０００４】  この紙スポンジは押し出し成型法で板状に作られるので、任意の形に打ち抜き、箱体を作ることが容易にできる。また原料は全て廃棄物のリサイクル品で賄えるので、安価である。
【考案の開示】
【考案が解決しようとする課題】
【０００５】  安価で取り扱い易く、保温特性も良く、且つ通常の可燃廃棄物として処理できる折り畳み式保冷箱を提供する。
【課題を解決するための手段】
【０００６】  前述の紙スポンジを押し出し成型法により１．５〜２ｃｍの厚さの板状に成型したものから、それを折り曲げて組み立てると箱状になるように、ハーフカットを施しながら各パーツを打ち抜く。組み立てられた箱体が密接して内装できるプラスチックフイルム製のガゼット袋を用意し、袋の中に箱体を折り畳んで入れて提供する。
【考案の効果】
【０００７】  上記考案によれば、材料は全て可燃廃棄物として捨てられるもので作られるので、使用後の処理に関しては問題なく、且つ紙スポンジの断熱体としての熱特性は通常の断熱体と同等であり、箱体として組み立てる前は平らに折り畳めるので嵩張らなく、使用しないときの収納が楽であるという特長がある。
【考案を実施するための最良の形態】
【０００８】  押し出し成型法によって作られた古紙粉末・澱粉を５１％以上含み、オレフィン系樹脂をバインダーとして使用している断熱板を使用し、組み立てると箱体を形成できるよう各パーツを打ち抜いて用意する。【０００９】  組み立て易さを考えると箱の６面がバラバラでなく、箱を展開した形で繋がっていて、折り曲げ部はハーフカットになっているのが便利であるが、折り畳んだ時一番コンパクトにできるのは前側面、底面、後側面、蓋面を縦一列に繋ぎ、折り曲げ部にはハーフカットを施し、底面と後側面を繋いでいるハーフカット部で２つ折りにし、その上に別に打ち抜いた右側面と左側面を並べて重ねる方法が一番嵩張らない。【００１０】  使用時箱体として組み立てた折、箱体を密接して内装できる大きさと形をした、リサイクルあるいは廃棄処理できるプラスチックフイルム製のガゼット袋に、箱体を折り畳んだ形で入れて提供する。
【実施例】
【００１１】  本考案の保冷箱の１例を図面に基づいて説明すると、図１は厚さ１．５ｃｍの断熱板を打ち抜いた物を組み立てた、外寸、縦２０ｃｍ、横２５ｃｍ、高さ１５ｃｍの保冷箱の斜視図であり、蓋部１、前側面部２、左側面部３が見えている。また箱体としての形状を保持し易いように、箱体の稜に当たるところに適宜突起と凹部からなる勘合部４が設けてある。【００１２】  この箱体を展開して３つの部分に分けたものが図２に示してある。蓋部１、後側面部５、底部６、前側面部２は縦一列に繋げてあり、箱の稜線に対応する接合部７，８，９はハーフカットが施してある。左側面部３と右側面部１０は同一形状であり、独立している。また蓋部１と底部６には勘合部４に対応する部分に凹部１１が、前側面部２と左右側面部３、１０には突起１２が設けてある。【００１３】  図３には蓋部１、後側面部５、底部６、前側面部２の４枚繋がった物を接合部８で折り曲げた状態を示しており、この上に左右側面部３、１０を並べて載せ、ガゼット袋の中に入れる。【００１４】  図４は組み立てた箱体をガゼット袋１３の中に、密接して内装した状態を示しており、箱に物をいれて蓋をした後、ガゼット袋の四方にある舌部１４を折り重ねて、シールで止めるようにすると良い。【００１５】  また箱体がガゼット袋に密接して収まる所定の位置関係になるように、予め箱体の後側面部の一部とガゼット袋の内側の一部を接着剤あるいは熱融着により接着しておき、それを折り畳んでガゼット袋の中に収納しておくと、ガゼット袋の中で容易に箱体を組み立てることができる。
【産業上の利用可能性】
【００１６】  以上説明したように、本考案の折り畳み式保冷箱によれば、使用しないときは折り畳んだ状態で重ねて収納できるので場所を取らず、使用する際には簡単に組み立てられる。また保冷効果も既存の保冷箱と変わらず、且つ使用後破棄処分する時は可燃ゴミとして扱えるので、土産物屋や小売店などからの需要が見込める。
【図面の簡単な説明】
【００１７】
【図１】保冷箱の斜視図
【図２】保冷箱の展開図
【図３】保冷箱を折り畳んだ状態を示す斜視図
【図４】保冷箱をガゼット袋に入れた状態を示す斜視図
【符号の説明】
【００１８】    １  蓋部    ２  前側面部    ３  左側面部    ４  勘合部    ５  後側面部    ６  底面部    ７，８，９  接合部  １０  右側面部  １１  凹部  １２  突起  １３  ガゼット袋  １４  舌部
【図１】
0003122643.tif 000003
【図４】
0003122643.tif 000004
【図２】
0003122643.tif 000005
【図３】
0003122643.tif 000006